(57)【要約】【課題】表示装置の画面上に重畳表示された複数の測定結果画像を印刷する際に、印刷物上の所望の測定結果画像の識別性を高める。【解決手段】使用者による、複数の二次元的な測定結果画像のうちの１乃至複数を指定する入力を受け付け、前記指定された測定結果画像と、前記複数の測定結果画像のうち指定されなかった測定結果画像とで異なる線種を割り当て、前記割り当てを行った後の前記複数の測定結果画像のデータを、前記印刷装置に出力する構成とする。このような構成を採ることにより、印刷装置がモノクロプリンタである場合や、カラープリンタにおいてモノクロ印刷設定がなされている場合であっても、所望の測定結果画像の印刷物上での識別性を高めることができる。【選択図】図１
2015117965.tif 000002
【特許請求の範囲】
【請求項１】
表示装置の画面上に重畳表示された複数の二次元的な測定結果画像を印刷するために用いられる、印刷装置へのデータ出力方法であって、
a) 使用者による、前記複数の測定結果画像のうちの１乃至複数を指定する入力を受け付け、
b) 前記指定された測定結果画像と、前記複数の測定結果画像のうち指定されなかった測定結果画像とで異なる線種を割り当て、
c) 前記割り当てを行った後の前記複数の測定結果画像のデータを、前記印刷装置に出力する
ことを特徴とするデータ出力方法
【請求項２】
前記測定結果画像はクロマトグラムであることを特徴とする請求項１に記載のデータ出力方法。
【請求項３】
前記使用者が前記複数の測定結果画像のうちの複数を指定した場合に、該指定された測定結果画像に対して互いに異なる線種を割り当てることを特徴とする請求項１又は２に記載のデータ出力方法。
【請求項４】
d) 前記印刷装置の印刷設定がモノクロモードであるかカラーモードであるかを検知し、
e) 前記検知した印刷設定がモノクロモードである場合に、前記測定結果画像の指定を使用者に促す
ことを特徴とする請求項１〜３のいずれかに記載のデータ出力方法。
【請求項５】
表示装置の画面上に重畳表示された複数の二次元的な測定結果画像を印刷するために用いられる、印刷装置へのデータ出力装置であって、
a) 使用者による、前記複数の測定結果画像のうちの１乃至複数を指定する入力を受け付ける測定結果画像指定入力受付手段と、
b) 前記指定された測定結果画像と、前記複数の測定結果画像のうち指定されなかった測定結果画像とで異なる線種を割り当てる線種割り当て手段と、
c) 前記線種割り当て手段による割り当てがなされた後の前記複数の測定結果画像のデータを、前記印刷装置に出力するデータ出力手段と、
を備えることを特徴とするデータ出力装置。
【発明の詳細な説明】
【技術分野】
【０００１】
本発明は、表示装置の画面上に表示された、クロマトグラムやスペクトル等の測定結果画像を複数、重畳表示した画像を印刷する際に好適に用いることができる、印刷装置へのデータ出力方法及びデータ出力装置に関する。
【背景技術】
【０００２】
ガスクロマトグラフ装置（ＧＣ）や、液体クロマトグラフ装置（ＬＣ）において、複数の検出器を併用して測定を行うと、複数のクロマトグラムが同時に得られる。また、検出器としてフォトダイオードアレイ検出器や質量分析計を用いると、時間軸及び強度軸のほかに波長や質量数を第３の軸とする三次元クロマトグラムが得られ、特定の波長や質量数に着目することで複数の二次元クロマトグラム（例えば検出器が質量分析計である場合にはマスクロマトグラム）を切り出すことができる（例えば特許文献１）。このようにして得られた複数の二次元クロマトグラムを比較して試料中の成分を分析する場合には、同一の表示画面上に複数の二次元クロマトグラムを表示させることが多い。
【０００３】
クロマトグラフにより得られるデータを処理する測定データ表示処理装置において、該装置の表示部の画面上に複数の二次元クロマトグラムを同時に表示させる方法として、例えば、複数のクロマトグラムを共通の時間軸（横軸）及び強度軸（縦軸）で規定される二次元領域内に重畳表示し、各クロマトグラムをそれぞれ異なる色で表示させる方法がある。また、特許文献２には、画面上に重畳表示する複数のクロマトグラムのうち、使用者が指定したクロマトグラムの表示色のみを変更して、そのクロマトグラムの識別性を高める表示方法が提案されている。
【先行技術文献】
【特許文献】
【０００４】
【特許文献１】特開平10-73582号公報
【特許文献２】特開2007-147464号公報
【発明の概要】
【発明が解決しようとする課題】
【０００５】
測定データ表示処理装置において試料中の成分を分析した結果を報告書等にまとめる際には、画面上で重畳表示した複数のクロマトグラムを印刷装置で紙に印刷する。このとき、印刷装置がモノクロプリンタであったり、カラープリンタであってもモノクロ印刷設定がなされていたりすると、複数のクロマトグラムが黒色や灰色で印刷されてしまい、それらを識別することが困難になってしまう。図８に、表示部の画面上にカラーで重畳表示された複数のクロマトグラムをモノクロで印刷した場合の、印刷結果を例示する。同図に示す例では、表示部の画面上で各クロマトグラムを区別していた色情報が印刷時に失われたことで、各クロマトグラムがどの試料に対応するかが識別し難くなっている。
ここでは、クロマトグラムを例に挙げて説明したが、その他、例えば、分光測定により得られた複数のスペクトルを重畳表示して印刷する場合にも同様の問題が生じる。
【０００６】
本発明が解決しようとする課題は、表示装置の画面上に重畳表示された複数の測定結果画像を印刷する際に、印刷物上の所望の測定結果画像の識別性を高めることができる、印刷装置へのデータ出力方法及びデータ出力装置を提供することである。
【課題を解決するための手段】
【０００７】
上記課題を解決するために成された本発明は、表示装置の画面上に重畳表示された複数の二次元的な測定結果画像を印刷するために用いられる、印刷装置へのデータ出力方法であって、
a) 使用者による、前記複数の測定結果画像のうちの１乃至複数を指定する入力を受け付け、
b) 前記指定された測定結果画像と、前記複数の測定結果画像のうち指定されなかった測定結果画像とで異なる線種を割り当て、
c) 前記割り当てを行った後の前記複数の測定結果画像のデータを、前記印刷装置に出力する
ことを特徴とする。
【０００８】
前記複数の測定結果画像としては、例えば、時間軸及び強度軸で規定される二次元領域内に表示されるクロマトグラムや、波長軸及び強度軸で規定される二次元領域内に表示されるスペクトルが挙げられる。
また、前記線種としては、実線、点線、一点鎖線、二点鎖線等の線の連続性が異なる線種及び／又は線の太さが異なる線種を用いることができる。また、前記印刷装置には、紙に印刷する印刷機器だけでなく、PDF (Portable Document Format)等の形式でデジタル印刷する手段も含まれる。
【０００９】
本発明に係るデータ出力方法では、表示装置の画面上に重畳表示された複数の測定結果画像の中から、使用者が所望の測定結果画像を指定すると、該指定された測定結果画像が他の測定結果画像と異なる線種で印刷される。従って、印刷装置がモノクロプリンタである場合や、カラープリンタにおいてモノクロ印刷設定がなされている場合であっても、注目する測定結果画像の、印刷物上での識別性を高めることができる。
【００１０】
本発明に係るデータ出力方法は、前記使用者が前記複数の測定結果画像のうちの複数を指定した場合に、該指定された測定結果画像に対して互いに異なる線種を割り当てることが好ましい。
これにより、使用者が複数の測定結果画像のうち２以上を指定した場合に、該指定された測定結果画像が互いに異なる線種で印刷されるので、使用者は、注目する２以上の測定結果画像について印刷物上で互いを容易に識別することが可能となる。
【００１１】
なお、前記測定結果画像の指定については、使用者が特定の測定結果画像を指定することなく印刷装置へのデータ出力を指示した場合に、使用者が前記複数の測定結果画像の全てを指定したものと取り扱うようにしてもよい。
これにより、使用者は、全ての測定結果画像を指定するための入力操作を省略して、印刷物上でこれらを互いに容易に識別することができる。
【００１２】
本発明に係るデータ出力方法は、さらに
d) 前記印刷装置の印刷設定がモノクロモードであるかカラーモードであるかを検知し、
e) 前記検知した印刷設定がモノクロモードである場合に、前記測定結果画像の指定を使用者に促す
ように構成することができる。
この構成によれば、カラー印刷設定がなされている場合には、通常のカラー印刷が実行され、線種の割り当てに係る処理を省略することができる。
【００１３】
上記課題を解決するために成された本発明の別の態様は、表示装置の画面上に重畳表示された複数の二次元的な測定結果画像を印刷するために用いられる、印刷装置へのデータ出力装置であって、
a) 使用者による、前記複数の測定結果画像のうちの１乃至複数を指定する入力を受け付ける測定結果画像指定入力受付手段と、
b) 前記指定された測定結果画像と、前記複数の測定結果画像のうち指定されなかった測定結果画像とで異なる線種を割り当てる線種割り当て手段と、
c) 前記線種割り当て手段による割り当てがなされた後の前記複数の測定結果画像のデータを、前記印刷装置に出力するデータ出力手段と、
を備えることを特徴とする。
【発明の効果】
【００１４】
本発明に係る方法及び装置では、表示装置の画面上に重畳表示された複数の測定結果画像の中から、使用者が所望の測定結果画像を指定すると、該指定された測定結果画像が他の測定結果画像と異なる線種で印刷される。従って、印刷装置がモノクロプリンタである場合や、カラープリンタにおいてモノクロ印刷設定がなされている場合であっても、所望の測定結果画像の印刷物上での識別性を高めることができる。
【図面の簡単な説明】
【００１５】
【図１】本発明の一実施形態に係る測定データ表示処理装置の概略構成を示すブロック図。
【図２】同実施形態に係る測定データ表示処理装置による、線種変更処理の流れを示すフローチャート。
【図３】同実施形態に係る測定データ表示処理装置における、線種を変更する測定結果画像の指定画面の一例。
【図４】同実施形態に係る測定データ表示処理装置が印刷装置に出力する重畳画像の例。
【図５】同実施形態に係る測定データ表示処理装置が、測定結果画像に線種を割り当てる際に生成するデータの構造例であり、（ａ）はユーザが１つのクロマトグラムを指定した場合の例、（ｂ）はユーザが２つのクロマトグラムを指定した場合の例、（ｃ）はユーザが１つのクロマトグラムを指定した場合の別の例である。
【図６】同実施形態に係る測定データ表示処理装置が印刷装置に出力するクロマトグラムの重畳画像の別の例であり、（ａ）はユーザが１つのクロマトグラムを指定した場合の例、（ｂ）はユーザが２つのクロマトグラムを指定した場合の例、（ｃ）はユーザが１つのクロマトグラムを指定した場合の別の例である。
【図７】本発明の別の実施形態に係る測定データ表示処理装置の概略構成を示すブロック図。
【図８】一般的な測定データ表示処理装置の表示部の画面上にカラー表示された重畳画像をモノクロ印刷した場合の印刷結果の例。
【発明を実施するための形態】
【００１６】
以下、本発明を実施するための形態について、図面を参照しつつ詳細に説明する。以下の記載において、先に説明した図面と同一の機能を有する部材には同一の番号を付し、その説明を省略する。
【００１７】
〔実施形態１〕
図１に、本発明の第１の実施形態に係る、測定データ表示処理装置（データ出力装置）１を示す。測定データ表示処理装置１の実態はコンピュータであり、中央演算処理装置であるＣＰＵ（Central Processing Unit）１０にメモリ１２、ＬＣＤ（Liquid Crystal Display）等から成るモニタ（表示装置）１４、キーボードやマウス等から成る入力部（測定結果画像指定入力受付手段）１６、ハードディスクやＳＳＤ（Solid State Drive）等の大容量記憶装置から成る記憶部２０が互いに接続されている。記憶部２０には印刷データ出力用プログラム２１、線種記憶部２２、測定データ記憶部２３が設けられている。記憶部２０にはまた、ＯＳ（Operating System）２４も記憶されている。
分析装置Ａ１は、本実施形態では液体クロマトグラフ質量分析装置（ＬＣ−ＭＳ）とする。ただし、分析装置Ａ１の実態はこれに限定されず、ＧＣやＬＣ、またガスクロマトグラフ質量分析装置（ＧＣ−ＭＳ）であってもよい。
測定データ表示処理装置１は、ＬＣ−ＭＳによる測定データの解析に用いられるコンピュータが通常具備する機能として、分析装置Ａ１から受信し、測定データ記憶部２３に蓄積された測定データの系列に基づいてクロマトグラム（測定結果画像）を作成するとともに、該作成したクロマトグラムをそれぞれ異なる色で複数重畳してモニタ１４上で表示する。
【００１８】
測定データ表示処理装置１は、外部装置との直接的な接続や、外部装置等とのＬＡＮ（Local Area Network）などのネットワークを介した接続を司るためのインターフェース（Ｉ／Ｆ）（データ出力手段）１８を備えており、該Ｉ／Ｆ１８よりネットワークケーブルＮＷ（又は無線ＬＡＮ）を介して分析装置Ａ１及び印刷装置（不図示）に接続されている。
なお、測定データ表示処理装置１と接続される分析装置は複数台であっても構わない。また、測定データ表示処理装置１と分析装置Ａ１は一体の装置として構成されていても構わない。また、印刷装置は典型的にはカラー又はモノクロプリンタであるが、PDF等の形式でデジタル印刷するプログラムによって具現化されてもよい。
【００１９】
図１においては、印刷データ出力用プログラム２１に係るように、表示制御部３０、データ系列特定部３１、線種割り当て部（線種割り当て手段）３２、及び画像重畳部３３が示されている。これはいずれも基本的にはＣＰＵ１０が印刷データ出力用プログラム２１を実行することによりソフトウエア的に実現される機能手段である。なお、印刷データ出力用プログラム２１は必ずしも単体のプログラムである必要はなく、例えば分析装置Ａ１を制御するためのプログラムの一部に組み込まれた機能であってもよく、その形態は特に問わない。
【００２０】
以下、フローチャートである図２を参照しつつ、印刷データ出力処理の流れを具体的に説明する。本フローチャートは、測定データ表示処理装置１のユーザが、モニタ１４の画面上に重畳表示された複数のクロマトグラムを印刷するための操作を行った時点、具体的には、例えば「印刷」ダイアログが呼び出された時点で開始となる。又は、印刷ダイアログボックスに線種変更用のアイコンを表示させ、該アイコンがクリックされた時点で開始としてもよい。説明の簡略化のため、複数のクロマトグラムは、図８の印刷例と同条件のものとする。
【００２１】
まず、表示制御部３０が、線種を変更するクロマトグラムの指定画面をモニタ１４の画面上に表示させる（ステップＳ２１）。本ステップにおける表示画面の一例を図３に示す。線種変更設定画面３００は、ユーザが線種を変更するクロマトグラムを指定するためのＧＵＩ（Graphical User Interface）である。
線種変更設定画面３００には、現在、モニタ１４の画面上に重畳表示されているクロマトグラムが試料番号等を付してリスト化されて表示されている。ユーザは、入力部１６を介して、注目するクロマトグラムについて線種変更欄３０１のチェックボックスにチェックを入れる（ステップＳ２２）。図３に示す例では試料１のクロマトグラムにチェックが入っている。試料１は、例えば標準試料であってもよい。別の構成として、線種を変更するクロマトグラムの指定は、モニタ１４の画面上で重畳表示されたクロマトグラムを直接クリックして行うようにしてもよい。
【００２２】
線種変更設定画面３００において「ＯＫ」ボタンがクリックされれば（ステップＳ２３でＹｅｓ）、データ系列特定部３１が、指定されたクロマトグラムに対応するデータ系列を特定する（ステップＳ２４）。
【００２３】
続いて、線種割り当て部３２は、データ系列特定部３１による特定結果に基づき、特定されたデータ系列に、互いに異なる線種を割り当てたクロマトグラムを作成する（ステップＳ２５）。
線種割り当て部３２はさらに、ステップＳ２５で線種の割り当てを行ったデータ系列以外のデータ系列について、ステップＳ２５で使用したものとはさらに別の線種を一律に割り当てたクロマトグラムを作成する（ステップＳ２６）。ここでの「別の線種」とは、デフォルトの線種であってもよいし、ステップＳ２５にて使用された線種との類似性が特に低い線種であってもよい。いずれの構成においても、指定されたクロマトグラムとそれ以外のクロマトグラムとで異なる線種が割り当てられればよい。また、ステップＳ２５とＳ２６の実行順序は逆転しても構わない。
なお、線種割り当て部３２が作成するクロマトグラムにおいて、線色は一色、典型的には黒に統一されることが好ましい。これにより、線を特徴付ける要因が、色や濃淡ではなく線種に限定されるため、モノクロ印刷された印刷物上でユーザが注目する線の識別性が向上する。
【００２４】
次に、画像重畳部３３は、ステップＳ２５〜Ｓ２６で線種の割り当てを行った全クロマトグラムを重畳した重畳画像を作成する（ステップＳ２７）。この重畳画像が、Ｉ／Ｆ１８よりネットワークケーブルＮＷ（又は無線ＬＡＮ）を介して、印刷データとして印刷装置に出力される（ステップＳ２８）。
【００２５】
ステップＳ２７で作成される重畳画像の一例を図４に示す。図４は、図３で例示した指定条件（試料１）に基づいて作成されたクロマトグラムの重畳画像４０であり、横軸は保持時間、縦軸は信号強度を示す。
重畳画像４０には、試料１〜４に対応する４つのクロマトグラム４１、及び凡例４２が含まれている。指定された試料１のクロマトグラム４４が太い実線にて描かれており、図８と比較して、４つのクロマトグラム４１中での識別性が向上している。また、凡例４２中には、試料１の凡例４３が、試料１のクロマトグラム４４と同じ線種で表示されている。
【００２６】
図３及び図４に示した例は最も単純なものであり、ステップＳ２２において１つのクロマトグラムが指定され、該指定されたクロマトグラムの線種をデフォルトの細い実線から太い線種に変更するというものである。
【００２７】
次に、図５及び図６を参照して、線種割り当て部３２による線種の割り当て、及び画像重畳部３３による重畳画像の作成処理についてより詳細に説明する。図５は、線種割り当て部３２が各クロマトグラムに線種を割り当てる際に生成するデータの構造例を示す図である。ここでは、Ｎ個のデータ系列に基づくクロマトグラムが図６の各図に示すような重畳画像４０を構成しているものとする。同図に示すデータ構造において、デフォルトでは、「指定」欄のフラグは「０（ＯＦＦ）」であり、「線種」欄のラベルは「１（細い実線）」とする。線種ラベルの総数（すなわち線種のバリエーション）は任意に設定可能であってもよいが、ユーザにとっての視認性及び識別性を損なわない範囲内であることが好ましい。
【００２８】
まず、線種割り当て部３２は、データ系列特定部３１が特定したデータ系列のレコード中の「指定」欄のフラグを「０」から「１（ＯＮ）」に切り替える。図５（ａ）は、ユーザによって１つのクロマトグラムが指定された場合のデータ構造例であり、該クロマトグラムに対応するデータ系列Ｘの指定フラグがＯＮになっている。次に、線種割り当て部３２は、指定フラグが１であるレコードの「線種」欄のラベルを「１」から「２（太い実線）」に変更する。
そして、線種割り当て部３２は、各線種ラベルに基づく線種を線種記憶部２２から読み出し、該読み出した線種を各データ系列に割り当てたクロマトグラムを作成する。
【００２９】
次に、画像重畳部３３は、線種割り当て部３２による割り当てに基づいて重畳画像４０を作成する。このときの重畳画像の一例を図６（ａ）に示す。データ系列Ｘに対応するクロマトグラム４４が太い実線にて描かれ、複数のクロマトグラム４１中での識別性が向上している。また、凡例４２中に、データ系列Ｘの凡例４３が、クロマトグラム４４と同一の線種で示されている。
【００３０】
上記では、ユーザが１つのクロマトグラムを指定した場合について説明を行ったが、ユーザが複数のクロマトグラムについて注目し、印刷してそれらを検討したい状況も想定される。
図５（ｂ）は、ユーザによって２つのクロマトグラムが指定された場合のデータ構造例であり、該クロマトグラムにそれぞれ対応するデータ系列ＸおよびＹの指定フラグがＯＮになっている。このとき、線種割り当て部３２は、指定フラグが１であるデータ系列Ｘのレコードの線種ラベルを「２」に、同じく指定フラグが１であるデータ系列Ｙのレコードの線種ラベルを「３（太い点線）」に変更し、上述の手順にてクロマトグラムを作成する。
【００３１】
図６（ｂ）は、図５（ｂ）に示すデータ構造に基づいて作成された重畳画像４０である。データ系列Ｘに基づくクロマトグラム４４ａが太い実線で、データ系列Ｙに基づくクロマトグラム４４ｂが太い点線で描かれており、デフォルトの細い実線で描かれた他のクロマトグラムと識別しやすくなっている。さらに、図６（ｂ）では、ユーザが指定した２つのクロマトグラム４４ａ、４４ｂがそれぞれ異なる線種で描かれているので、これらを印刷物上で識別することも容易である。本構成は、指定されるクロマトグラムが３つ以上である場合にも当然適用可能であり、指定されたクロマトグラムのそれぞれに対し、互いに異なる線種が割り当てられればよい。
【００３２】
デフォルトからの線種の変更は、指定されたクロマトグラムに適用されなくともよい。例えば、指定されなかったクロマトグラムについて、その視認性を低下させるように線種を変更してもよい。
図５（ｃ）は、ユーザによって１つのクロマトグラムが指定された場合の別のデータ構造例である。指定されたクロマトグラムに対応するデータ系列Ｘの指定フラグがＯＮになっている点は図５（ａ）と同様であるが、線種ラベルが変更されるのは、データ系列Ｘ以外のデータ系列である。具体的には、データ系列Ｘの線種ラベルはデフォルトの「１」のままであり、他のデータ系列の線種ラベルが「４（細い点線）」に変更されている。このデータ構造に基づいて作成された重畳画像４０を図６（ｃ）に示す。データ系列Ｘに対応するクロマトグラム４４以外のクロマトグラムが細い点線にて描かれ、これによって、データ系列Ｘに対応するクロマトグラム４４の識別性が向上している。
【００３３】
上述のように、指定条件が同じであっても、線種の割り当ての態様は様々に変更可能である。指定条件に対してどのように線種を割り当てるかは、予め設定されていてもよいし、ユーザが任意に設定可能であってもよい。
また、ステップＳ２５にて、特定した複数のデータ系列について互いに異なる線種を割り当てる代わりに、該複数のデータ系列に対し、同一の線種を割り当ててもよい。
なお、上述では線種割り当て部３２が各クロマトグラムの作成を行うものとして説明したが、画像重畳部３３が図５に示すデータを参照して全クロマトグラムの作成を一括で行う構成とすることもできる。
【００３４】
なお、図３〜６に示す例では、試料ごとに作成される複数のクロマトグラムについて説明したが、本実施形態はこれに限定されず、例えば、質量電荷比ごとのマスクロマトグラムや、異なる検出器から得られた測定データに基づくクロマトグラムにも適用可能である。
【００３５】
別の構成例として、線種割り当て部３２は、ユーザによるクロマトグラム指定の入力が行われなかった場合には、全てのクロマトグラムに対し、互いに異なる線種を割り当ててもよい。これにより、ユーザが指定入力を忘れた場合にも、印刷物上で複数のクロマトグラムを互いに識別できる。また、複数のクロマトグラムの全てを指定する入力操作を省略することができる。
【００３６】
重畳画像４０は印刷データとして出力される画像であるため、必ずしもモニタ１４上に表示される必要はないが、ユーザが印刷態様の確認を所望する状況を考慮し、プレビュー表示等でこれを表示するようにしてもよい。
【００３７】
なお、本実施形態において凡例４２は印刷データ中に必須の要素ではないが、モニタ１４上でのカラー表示において省略されている場合には、画像頂上部３３が重畳画像４０を作成する際に自動挿入されることが好ましい。モノクロの印刷物上で、注目するクロマトグラムがどの線種で描かれているかが判別できなければ、本実施形態の効果が得られないためである。凡例４２が描かれる位置は、図４及び図６に示すように重畳画像４０内か、重畳画像４０の近傍であることが好ましい。
【００３８】
〔実施形態２〕
図７に、本発明の第２の実施形態に係る、測定データ表示処理装置（データ出力装置）１００を示す。測定データ表示処理装置１００は、上記第１の実施形態にて説明した測定データ表示処理装置１が備える印刷データ出力用プログラム２１内に、印刷設定判定部３４をさらに備えた構成である。
【００３９】
印刷設定判定部３４は、Ｉ／Ｆ１８を介して印刷装置の印刷設定情報を取得し、該印刷装置の印刷設定がカラーモードであるか、モノクロモードであるかを判定する。そして、判定結果がモノクロモードである場合に、図２に示した処理を実行することを印刷データ出力プログラム２１に指示する。一方、判定結果がカラーモードである場合には、図２に示す処理の実行を指示せず、測定データ表示処理装置１００は、モニタ１４に表示されたとおりの重畳画像を印刷データとして印刷装置に出力する。
【００４０】
本実施形態によれば、測定データ表示処理装置１００は、カラー印刷が可能な状況下では、線種の割り当てに係る処理を省略することができる。
【００４１】
上述の各実施形態では、説明の簡略化のため、測定結果画像がクロマトグラムである場合についてのみ説明した。しかしながら、本発明の測定結果画像はこれに限定されず、線種による識別が可能な二次元的図形であればよく、特に、周波数スペクトルやマススペクトルであってもよい。
【符号の説明】
【００４２】
１、１００…測定データ表示処理装置
１０…ＣＰＵ
１２…メモリ
１４…モニタ
１６…入力部
１８…Ｉ／Ｆ
２０…記憶部
２１…印刷データ出力用プログラム
２２…線種記憶部
２３…測定データ記憶部
２４…ＯＳ
３０…表示制御部
３１…データ系列特定部
３２…線種割り当て部
３３…画像重畳部
３４…印刷設定判定部
４０…重畳画像
４２…凡例
４４、４４ａ、４４ｂ…ユーザが指定したクロマトグラム
Ａ１…分析装置
【図１】
2015117965.tif 000003
【図２】
2015117965.tif 000004
【図３】
2015117965.tif 000005
【図４】
2015117965.tif 000006
【図５】
2015117965.tif 000007
【図６】
2015117965.tif 000008
【図７】
2015117965.tif 000009
【図８】
2015117965.tif 000010